(57)【特許請求の範囲】
【請求項１】
利用者により携帯され、当該利用者の転倒を検知する転倒検知端末において、
前記転倒検知端末の動きを検出して動きデータを出力する動きセンサと、
前記動きデータから前記転倒検知端末に生じた衝撃を検出し、前記衝撃の大きさに基づいて前記利用者の転倒を検出する転倒判定手段と、
前記動きデータから前記利用者の体動を検出し、前記転倒判定手段による転倒検出の後の所定のキャンセル判定時間内に所定の体動が検出された場合には前記転倒検出をキャンセルする取消処理手段と、
前記転倒検知端末の高度を検出する高度センサと、
を備え、
前記取消処理手段は、複数の衝撃の発生パターンが階段転落による衝撃の発生を示す特定パターンに合致し、かつ、前記高度の低下が所定値以上である場合には、前記キャンセルを禁止することを特徴とする転倒検知端末。
【請求項２】
前記取消処理手段は、所定基準以上の衝撃が連続的に検出された場合に、前記特定パターンに合致すると判定する、請求項１に記載の転倒検知端末。
【請求項３】
前記取消処理手段は、所定基準以上の衝撃が所定回数以上検出された場合に、前記特定パターンに合致すると判定する、請求項２に記載の転倒検知端末。
【請求項４】
前記転倒判定手段は、前記利用者が転倒したか否かの判定を行うために、第１の基準を用いて衝撃の検出を行い、
前記取消処理手段は、前記特定パターンに合致するか否かの判定を行うために、前記第１の基準より低い第２の基準を用いて衝撃の検出を行う、請求項３に記載の転倒検知端末。
【請求項５】
前記取消処理手段は、前記特定パターンに合致する除外期間を抽出し、前記転倒検出の後の前記除外期間以外の期間に前記所定の体動が検出された場合に前記転倒検出をキャンセルする、請求項１〜４のいずれかに記載の転倒検知端末。
【請求項６】
利用者の転倒を検知する転倒検知端末で実行されるプログラムであって、
前記転倒検知端末には、前記転倒検知端末の動きを検出して動きデータを出力する動きセンサと、前記転倒検知端末の高度を検出する高度センサとが備えられており、
前記プログラムは、コンピュータに
前記動きデータから前記転倒検知端末に生じた衝撃を検出し、前記衝撃の大きさに基づいて前記利用者の転倒を検出する処理と、
前記動きデータから前記利用者の体動を検出し、前記転倒を検出する処理による転倒検出の後の所定のキャンセル判定時間内に所定の体動が検出された場合には前記転倒検出をキャンセルする処理と、
を実行させ、
前記キャンセルする処理では、
複数の衝撃の発生パターンが階段転落による衝撃の発生を示す特定パターンに合致し、かつ、前記高度の低下が所定値以上である場合には、前記キャンセルを禁止することを特徴とするプログラム。
【発明の詳細な説明】
【技術分野】
【０００１】
本発明は、利用者（携帯者）の転倒を検知する機能を有する転倒検知端末に関する。
【背景技術】
【０００２】
従来、人の体動（動き）をセンサで検出し、その検出データから転倒検出を行う装置が知られている（例えば特許文献１参照）。そして、転倒検出後に体動が検出された場合には、通報の必要がないため、転倒検出をキャンセルする技術も提案されている。
【先行技術文献】
【特許文献】
【０００３】
【特許文献１】特開２００２−３６０５２２号公報
【発明の概要】
【発明が解決しようとする課題】
【０００４】
しかしながら、転倒の態様は多種多様であり、従来の方法では、転倒検出を誤ってキャンセルしてしまう場合もあり得る。例えば、階段から転げ落ちた場合、まず、転倒によって強い衝撃が発生するが、その後も、階段を転落していく動作に伴って、強い衝撃だけでなく弱い衝撃も繰り返し発生する。そのため、階段転落中の衝撃（体動）を検出して、転倒検出を誤って自動キャンセルしてしまうおそれがある。
【０００５】
本発明は、上記の課題に鑑みてなされたもので、階段からの転落を考慮した適切な自動キャンセルを行うことのできる転倒検知端末を提供することを目的とする。
【課題を解決するための手段】
【０００６】
本発明の転倒検知端末は、利用者により携帯され、当該利用者の転倒を検知する転倒検知端末において、前記転倒検知端末の動きを検出して動きデータを出力する動きセンサと、前記動きデータから前記転倒検知端末に生じた衝撃を検出し、前記衝撃の大きさに基づいて前記利用者の転倒を検出する転倒判定手段と、前記動きデータから前記利用者の体動を検出し、前記転倒判定手段による転倒検出の後の所定のキャンセル判定時間内に所定の体動が検出された場合には前記転倒検出をキャンセルする取消処理手段と、前記転倒検知端末の高度を検出する高度センサと、を備え、前記取消処理手段は、複数の衝撃の発生パターンが階段転落による衝撃の発生を示す特定パターンに合致し、かつ、前記高度の低下が所定値以上である場合には、前記キャンセルを禁止する。
【０００７】
この構成により、動きセンサにより利用者の動きを示す動きデータが取得され、その動きデータから利用者の転倒が検出されて利用者が転倒したか否かが判定される。そして、動きデータから利用者の体動が検出され、転倒検出の後のキャンセル判定時間内に体動が検出された場合には転倒検出が自動的にキャンセルされる。この場合、転倒検知端末の高度が検出される。そして、複数の衝撃の発生パターンが階段転落による衝撃の発生を示す特定パターンに合致し、かつ、高度の低下が所定値以上である場合には、転倒検出のキャンセルが禁止される。したがって、転倒検出後に体動が検出された場合であっても、階段転落らしい衝撃のパターンが発生しかつ大きな高度低下があった場合には、自動キャンセルを行わず、転倒異常が確定される。これにより、転倒検出のキャンセルを行う場合に、階段からの転落（転げ落ち）を考慮して適切な自動キャンセルを行うことができる。
【０００８】
また、本発明の転倒検知端末では、前記取消処理手段は、所定基準以上の衝撃が連続的に検出された場合に、前記特定パターンに合致すると判定してもよい。
【０００９】
この構成により、ある程度の衝撃（所定基準以上の衝撃）が連続的に検出された場合には、階段転落らしい衝撃のパターンが発生したと適切に判定される。
【００１０】
また、本発明の転倒検知端末では、前記取消処理手段は、所定基準以上の衝撃が所定回数以上検出された場合に、前記特定パターンに合致すると判定してもよい。
【００１１】
この構成により、ある程度の衝撃（所定基準以上の衝撃）が高頻度（所定回数以上）に検出された場合には、階段転落らしい衝撃のパターンが発生したと適切に判定される。
【００１２】
また、本発明の転倒検知端末では、前記転倒判定手段は、前記利用者が転倒したか否かの判定を行うために、第１の基準を用いて衝撃の検出を行い、前記取消処理手段は、前記特定パターンに合致するか否かの判定を行うために、前記第１の基準より低い第２の基準を用いて衝撃の検出を行ってもよい。
【００１３】
この構成により、利用者が転倒したか否かの判定（転倒判定）のための衝撃検出と、階段転落らしい衝撃のパターンが発生したか否かの判定（階段転落判定）のための衝撃検出とで、異なる基準が用いられる。階段転落判定のための衝撃検出の基準として、転倒判定のための衝撃検出の基準（第１の基準）より低い基準（第２の基準）を用いることにより、階段転落の際に比較的小さい衝撃が大きな衝撃と混在するような場合でも、階段転落らしい衝撃のパターンが発生したか否かを適切に判定することができる。
【００１４】
また、本発明の転倒検知端末では、前記取消処理手段は、前記特定パターンに合致する除外期間を抽出し、前記転倒検出の後の前記除外期間以外の期間に前記所定の体動が検出された場合に前記転倒検出をキャンセルしてもよい。
【００１５】
この構成により、階段転落らしい衝撃のパターンが発生した期間（除外期間）以外の期間の体動に基づいて、転倒検出をキャンセルするか否かが判定される。これにより、階段転落の影響を受けていない（または、階段転落の影響の小さい）体動に基づいて、転倒検出をキャンセルするか否かを適切に判定することができる。
【００１６】
本発明のプログラムは、利用者の転倒を検知する転倒検知端末で実行されるプログラムであって、前記転倒検知端末には、前記転倒検知端末の動きを検出して動きデータを出力する動きセンサと、前記転倒検知端末の高度を検出する高度センサとが備えられており、前記プログラムは、コンピュータに、前記動きデータから前記転倒検知端末に生じた衝撃を検出し、前記衝撃の大きさに基づいて前記利用者の転倒を検出する処理と、前記動きデータから前記利用者の体動を検出し、前記転倒を検出する処理による転倒検出の後の所定のキャンセル判定時間内に所定の体動が検出された場合には前記転倒検出をキャンセルする処理と、を実行させ、前記キャンセルする処理では、複数の衝撃の発生パターンが階段転落による衝撃の発生を示す特定パターンに合致し、かつ、前記高度の低下が所定値以上である場合には、前記キャンセルを禁止する。
【００１７】
このプログラムによっても、上記の端末と同様、動きセンサにより利用者の動きを示す動きデータが取得され、その動きデータから利用者の転倒が検出されて利用者が転倒したか否かが判定される。そして、動きデータから利用者の体動が検出され、転倒検出の後のキャンセル判定時間内に体動が検出された場合には転倒検出が自動的にキャンセルされる。この場合、転倒検知端末の高度が検出される。そして、複数の衝撃の発生パターンが階段転落による衝撃の発生を示す特定パターンに合致し、かつ、高度の低下が所定値以上である場合には、転倒検出のキャンセルが禁止される。したがって、転倒検出後に体動が検出された場合であっても、階段転落らしい衝撃のパターンが発生しかつ大きな高度低下があった場合には、自動キャンセルを行わない。これにより、転倒検出のキャンセルを行う場合に、階段からの転落（転げ落ち）を考慮して適切な自動キャンセルを行うことができる。
【発明の効果】
【００１８】
本発明によれば、階段からの転落を考慮した適切な自動キャンセルを行うことができる。
【図面の簡単な説明】
【００１９】
【図１】本発明の実施の形態における転倒検知端末のブロック図である。
【図２】転倒検出を説明するための加速度データの一例を示す図である。
【図３】階段から転落した場合の加速度および気圧データの一例を示す図である。
【図４】本発明の実施の形態における転倒検知端末の動作説明のためのフロー図である。
【発明を実施するための形態】
【００２０】
以下、本発明の実施の形態の転倒検知端末について、図面を用いて説明する。本実施の形態では、高齢者の転倒を検知する監視システム等に用いられる転倒検知端末の場合を例示する。この転倒検知端末の機能（転倒検知機能）は、端末のメモリ等に格納されたプログラムによって実現することができる。
【００２１】
転倒検知端末は、利用者（高齢者など）に携帯される端末装置である。例えば、転倒検知端末は、リストバンド型（腕時計型）のウェアラブル端末で構成され、利用者（高齢者など）が手首や腕に装着される。転倒検知端末は、首からぶら下げるペンダント型であってもよく、頭や耳に装着するタイプの頭部装着型でもよく、また、ベルトタイプなどの腰装着型であってもよい。
【００２２】
まず、本実施の形態の転倒検知端末の構成を、図面を参照して説明する。図１は、本実施の形態の転倒検知端末の構成を示すブロック図である。図１に示すように、転倒検知端末１は、加速度センサ２、装着センサ３、高度センサ４、救急ボタン５を備えている。また、この転倒検知端末１は、操作表示部６、振動部７、電源部８、無線通信部９、監視制御部１０を備えている。
【００２３】
加速度センサ２は、利用者の動きを検出し、利用者の動きを示す動きデータ（加速度データ）を出力する機能を備えたセンサであり、例えば３軸加速度センサで構成される。加速度センサ２は、所定のサンプリング周期で検出した加速度データを出力する。装着センサ３は、人体（腕）への装着状態（装着されているか否か）を検出する機能を備えたセンサであり、例えば静電容量方式センサなど、人体の装着部位の接触や近接を電気的に検出可能なセンサで構成される。高度センサ４は、気圧変化等を利用して端末の高さの変化を検出する機能を備えたセンサであり、例えば気圧センサで構成される。救急ボタン５は、利用者が非常時に救急通報するための操作部（救急操作部）である。
【００２４】
操作表示部６は、例えばタッチパネルディスプレイで構成され、異常報知などの各種の情報表示をする機能（情報表示機能）と、キャンセル操作などの各種の入力操作をする機能（入力操作機能）を備えている。振動部７は、バイブレーション装置などで構成され、振動による刺激で利用者へ異常や操作受付などを報知する機能を備えている。電源部８は、電池などのバッテリなどで構成される。無線通信部９は、例えば携帯通信網を介して遠隔の監視センタ１１に設置されたセキュリティ端末１２と無線通信を行う機能を備えている。また、無線通信部９は、ブルートゥース（登録商標）や特定小電力無線などで、宅内に設置されたセキュリティ端末（図示せず）と無線通信を行う機能を備えている。
【００２５】
監視制御部１０は、各センサ（加速度センサ２、装着センサ３、高度センサ４）や操作部（救急ボタン５、操作表示部６）からの入力に基づいて、救急監視を行う機能を有する救急監視部１３と、生活監視を行う機能を有する生活監視部１４と、転倒監視を行う機能を有する転倒監視部１５を備えている。また、この監視制御部１０は、転倒検知端末１の各部を制御する機能を備えている。
【００２６】
救急監視部１３は、利用者が救急対応を求めて救急ボタン５を操作した際に、監視センタ１１に救急通報を行う機能を備えている。例えば、救急ボタン５が２秒間押され続けると、救急異常と判定し、救急異常を監視センタ１１に通報するとともに、異常確定したことを振動・画面・音・光などで周囲に報知する。救急異常は、意識的な操作による異常であるため、キャンセル操作は受け付けない。なお、生活異常や転倒異常（後述する）の発生中でも、救急異常が発生した場合は、救急異常が優先される。
【００２７】
生活監視部１４は、加速度センサ２の出力に基づき、利用者（携帯者、装着者）が日常生活で生じる程度に動いているかを監視し、急病などにより動けない状態が継続していることを通報する機能を備えている。生活監視部１４は、装着状態（装着された状態）のときに生活監視を実行する。例えば、加速度センサ２の出力から利用者の動き（体動）を検出し、日常生活レベルの体動が一定期間（例えば１時間）継続して生じていないと、生活異常と判定する。生活異常と判定すると、その旨を利用者に振動・画面・音・光などにより報知する。この生活監視部１４は、生活異常と判定・報知した後、所定のキャンセル時間（例えば１０秒）の間に体動が検出されるか、またはキャンセル操作が入力された場合、生活異常を取り消す（異常通報しない）処理を行う。体動の検出処理については、転倒監視における処理と同様（後述する）である。
【００２８】
ここで、転倒検知の基本的なロジックについて説明する。転倒監視部１５は、加速度センサ２の出力（加速度データ）に基づいて、加速度の変化を分析し、そして、転倒らしい特徴が現れた転倒事象を抽出することにより、転倒を検出する。転倒監視部１５は、様々な転倒判定（転倒検出）を行う機能を備えている。転倒監視部１５は、そのための構成として転倒判定部１６を備えている。
【００２９】
図２には、転倒検出を説明するための加速度データの一例が示される。転倒判定部１６は、加速度センサ２の出力から「衝撃」を検出し、その検出結果（評価値）に基づいて転倒を検出してもよい。この場合、転倒判定部１６は、転倒判定の処理対象となる加速度データから、所定の閾値（例えば３０ｍ／ｓｅｃ2）以上の加速度のピークを検出する。そして、その加速度のピーク時点を含む一定期間（例えば１００ｍｓｅｃ、ピークの前後５０ｍｓｅｃずつ）を対象に加速度変化量Ｈ（加速度変化の積算値）を求める。転倒判定部１６は、加速度変化量Ｈが所定の転倒基準値（例えば５０ｍ／ｓｅｃ2）以上であれば、利用者が転倒したと判定する。すなわち、転倒事象が検出される。
【００３０】
例えば、以下の式１を用いることにより、所定期間（例えば１００ｍｓｅｃ）内の加速度データ（スカラー化された加速度データａ１、ａ２、・・・、ａ５）について、直前の加速度との差分絶対値を求め、この期間にわたって積算することにより、加速度変化量Ｈが算出される。なお、加速度変化量Ｈは、加速度センサーの３軸の各軸（Ｘ軸、Ｙ軸、Ｚ軸）ごとに算出し、３軸の合計や平均として算出してもよい。
Ｈ＝｜ａ１−ａ２｜＋｜ａ２−ａ３｜＋・・・＋｜ａ４−ａ５｜      （式１）
【００３１】
なお、転倒判定部１６は、加速度ピークにおける加速度の値（ピーク値Ｐ）に基づいて、転倒判定（転倒検出）を行ってもよい。また、転倒判定部１６は、加速度変化量Ｈとピーク値Ｐとの比率Ｈ／Ｐに基づいて、転倒判定（転倒検出）を行ってもよい。また、転倒判定部１６は、加速度ピーク前後の一定期間を対象に加速度変化量Ｈを求めるのではなく、順次入力される加速度データについて前後一定期間の加速度変化量Ｈを求め、あるいは、一定期間ごとにその期間内の加速度変化量Ｈを求め、転倒判定（転倒検出）を行ってもよい。また、転倒判定部１６は、加速度センサ２の出力から「自由落下特性」を検出し、その検出結果（評価値）に基づいて転倒を検出してもよい。あるいは、転倒判定部１６は、加速度センサ２の出力から「衝撃」と「自由落下特性」を検出し、それぞれの検出結果（評価値）に基づいて転倒を検出してもよい。
【００３２】
また、転倒監視部１５は、転倒検出を自動キャンセルする機能を備えている。転倒監視部１５は、そのための構成として取消処理部１７を備えている。取消処理部１７では、体動検出による自動キャンセル処理が行われる。すなわち、転倒が検出された場合であっても、その後に体動が検出されれば利用者は危険な状態ではないと考えられるため、取消処理部１７は、転倒検出を自動キャンセルする。この体動検出（自動キャンセル処理）では、転倒検出した時点（またはピークの時点）から、所定の遅延時間（例えば３秒）の体動は無視し、それ以降のキャンセル判定時間（例えば１５秒）の間の体動の有無を判定する。体動の有無の判定は、加速度のピーク値または変化量の観測により行う。例えば、所定の閾値（例えば１２ｍ／ｓｅｃ2）以上のピーク値が所定回数検出されたとき、または、このピーク値の合計が一定値を超えたときに、体動を検出する。あるいは、所的期間（例えば数秒間）または体動判定時間における加速度の変化量の合計が一定値を超えたとき、または、単位時間当たりの加速度の変化量が一定値を超えたときに、体動を検出する。転倒検出後、キャンセル判定時間の経過時までに体動が検出されなければ、転倒判定部１６は転倒異常を確定する。
【００３３】
また、この取消処理部１７では、階段からの転げ落ちを考慮した自動キャンセル処理が行われる。具体的には、取消処理部１７は、自動キャンセル処理が行われるような体動が検出される場合であっても、その体動が階段からの転落により生じた体動である場合には、自動キャンセル処理を実行しない。
【００３４】
すなわち、転倒検出後のキャンセル判定時間の間、自動キャンセル処理の対象となる体動を検出するための処理（体動検出処理）を実行するとともに、それと併行して、自動キャンセル処理の対象から除外すべき階段転落による加速度変化を判定するための処理（階段転落判定処理）を実行する。例えば、連続的に（長く続く）衝撃が生じている場合には、階段転落らしい加速度変化と判定される。
【００３５】
この場合、高度センサ４の出力から高度変化の有無（所定の高度差以上の高度変化があったか否か）を確認する。階段転落らしい加速度変化が検出され、かつ、転倒検出時（またはキャンセル判定時間開始時）とキャンセル判定時間経過後との間で高度差が大きい場合には、階段転落による体動であると判定される。
【００３６】
このようにして、取消処理部１７は、キャンセル判定時間が経過したときに、自動キャンセル処理の対象となる体動が検出されていたとしても、階段転落による加速度変化が生じていると判定された場合には、検出された体動は自動キャンセル処理から除外すべき体動であるとみなし、自動キャンセル処理を禁止する。
【００３７】
図３は、階段から転落した場合の加速度および気圧データの一例を示す図である。なお、図３において、加速度データは実線で図示されており、気圧データは一点鎖線で図示されている。例えば、取消処理部１７は、転倒検出時Ｔ１から所定のキャンセル判定時間（例えば１０秒）の間、所定値（例えば２０ｍ／ｓｅｃ2）以上の加速度のピークを検出してカウントする。そして、抽出したピークの数が所定数（例えば５個）以上であり、かつ、高度の降下量（低下量）が所定値（例えば２ｍ＝約０．２３ｈＰａ）以上である場合には、階段転落と判定する。ここで、階段転落の際に生じる衝撃の大きさは常に転倒検出時と同程度に大きいとは限らず、大小入り混じることが想定される。このため、階段転落判定のために抽出する加速度ピークの基準値（例えば２０ｍ／ｓｅｃ2）は、転倒検出に用いる基準値（例えば３０ｍ／ｓｅｃ2）より小さく設定される。
【００３８】
なお、階段転落の判定は、転倒検出時Ｔ１から所定のキャンセル判定時間の間のピーク数と高度差ではなく、転倒検出時Ｔ１から連続した衝撃が終了した時点Ｔ２までの間のピーク数と高度差を用いてもよい。ここで衝撃終了時Ｔ２は、キャンセル判定時間内での最後の衝撃（例えば２０ｍ／ｓｅｃ2以上の衝撃）としてもよく、所定時間（例えば３秒）以内に次の衝撃（例えば２０ｍ／ｓｅｃ2以上の衝撃）が検出されなかった時点としてもよい。また、転倒検出時Ｔ１から現時点の間のピーク数と高度差を繰り返し求め、ピーク数と高度差の条件に合致した時点で階段転落と判定してもよい。
【００３９】
また、階段転落の判定時間は、転倒検出時Ｔ１を起点とするのではなく、上記の最後の衝撃（例えば２０ｍ／ｓｅｃ2以上の衝撃）の検出時Ｔ２、あるいは現時点を基準にして過去所定時間（例えば１０秒）としてもよい。また、転倒検出時Ｔ１以前にも連続した衝撃（例えば２０ｍ／ｓｅｃ2以上の衝撃）が存在する場合には、最初の衝撃を起点として階段転落の判定期間を設定してもよい。さらに、階段転落の判定に用いた期間（例えばＴ１からＴ２の期間）を、自動キャンセル判定に用いる期間（自動キャンセルのための体動検出を行う期間）から除外してもよい。また、階段転落と判定された場合、転倒検出時Ｔ１から連続して衝撃が発生している期間（階段転落と認識された期間）を、自動キャンセル判定に用いる期間から除外してもよい。
【００４０】
このように、取消処理部１７は、複数の衝撃の発生パターンが階段転落による衝撃の発生を示す特定パターンに合致し、かつ、高度の低下が所定値（例えば２ｍ＝約０．２３ｈＰａ）以上である場合には、キャンセルを禁止する。この場合、取消処理部１７は、所定基準（例えば２０ｍ／ｓｅｃ2）以上の衝撃が連続的に検出された場合に、特定パターンに合致すると判定する。具体的には、取消処理部１７は、所定基準（例えば２０ｍ／ｓｅｃ2）以上の衝撃が所定期間内に所定回数（例えば５個）以上検出された場合に、特定パターンに合致すると判定する。
【００４１】
また、転倒判定部１７は、利用者が転倒したか否かの判定を行うために、第１の基準（例えば４０ｍ／ｓｅｃ2）を用いて衝撃の検出を行い、取消処理部１７は、特定パターンに合致するか否かの判定を行うために、第１の基準より低い第２の基準（例えば２０ｍ／ｓｅｃ2）を用いて衝撃の検出を行う。また、取消処理部１７は、特定パターンに合致する除外期間（例えばＴ１からＴ２の期間）を抽出し、転倒検出の後の除外期間以外の期間（例えばＴ２以降の期間）に体動が検出された場合に転倒検出をキャンセルするようにしてもよい。
【００４２】
つぎに、本実施の形態の転倒検知端末１の動作を、図４のフロー図を参照して説明する。本実施の形態の転倒検知端末１では、まず、加速度データから利用者の転倒を検出する転倒検出処理が行われる（Ｓ１）。そして、転倒と判定された場合には（Ｓ２）、転倒フラグをＯＮにする（Ｓ３）。つぎに、加速度データから利用者の体動を検出する体動検出処理が行われる（Ｓ４）。また、加速度データから階段転落の条件を満たす加速度変化（衝撃パターン）を検出する階段転落判定処理が行われる（Ｓ５）。キャンセル時間が経過するまで上記の処理（ステップＳ４およびＳ５）を繰り返す（Ｓ６）。
【００４３】
そして、利用者の体動が検出されたか否かの判定が行われる（Ｓ７）。自動キャンセル対象の体動が検出されなかった場合には、自動キャンセル処理を行わずに、転倒異常を確定する（Ｓ８）。自動キャンセル対象の体動が検出された場合には、階段転落による加速度変化が検出されているか否かの判定が行われる（Ｓ９）。階段転落が検出ていない場合には、自動キャンセル処理を行って、転倒フラグをＯＦＦにする（Ｓ１０）。一方、階段転落が検出ている場合には、自動キャンセル処理を行わずに、転倒異常を確定する（Ｓ８）。
【００４４】
このような本実施の形態の転倒検知端末１によれば、加速度センサ２により利用者の動きを示す加速度データが取得され、その加速度データから利用者の転倒が検出されて利用者が転倒したか否かが判定される。そして、加速度データから利用者の体動が検出され、転倒検出の後のキャンセル判定時間内に体動が検出された場合には転倒検出が自動的にキャンセルされる。そして、複数の衝撃の発生パターンが階段転落による衝撃の発生を示す特定パターンに合致し、かつ、高度の低下が所定値（例えば２ｍ＝約０．２３ｈＰａ）以上である場合には、転倒検出のキャンセルが禁止される。したがって、転倒検出後に体動が検出された場合であっても、階段転落らしい衝撃のパターンが発生しかつ大きな高度低下があった場合には、自動キャンセルを行わない。これにより、転倒検出のキャンセルを行う場合に、階段からの転落（転げ落ち）を考慮して適切な自動キャンセルを行うことができる。
【００４５】
本実施の形態では、ある程度大きな衝撃（例えば２０ｍ／ｓｅｃ2以上の衝撃）が連続的に検出された場合には、階段転落らしい衝撃のパターンが発生したと適切に判定される。また、本実施の形態では、ある程度大きな衝撃（例えば２０ｍ／ｓｅｃ2以上の衝撃）が高頻度（例えば５個以上）で検出された場合には、階段転落らしい衝撃のパターンが発生したと適切に判定される。
【００４６】
また、本実施の形態では、利用者が転倒したか否かの判定（転倒判定）のための衝撃検出と、階段転落らしい衝撃のパターンが発生したか否かの判定（階段転落判定）のための衝撃検出とで、異なる基準が用いられる。階段転落判定のための衝撃検出の基準として、転倒判定のための衝撃検出の基準（例えば４０ｍ／ｓｅｃ2）より低い基準（例えば２０ｍ／ｓｅｃ2）を用いることにより、階段転落らしい衝撃のパターンが発生したか否かを適切に判定することができる。
【００４７】
また、本実施の形態では、階段転落らしい衝撃のパターンが発生した期間（Ｔ１からＴ２の期間）以外の期間（例えばＴ２以降の期間）の体動に基づいて、転倒検出をキャンセルするか否かが判定される。これにより、階段転落の影響を受けていない（または、階段転落の影響の小さい）体動に基づいて、転倒検出をキャンセルするか否かを適切に判定することができる。
【００４８】
以上、本発明の実施の形態を例示により説明したが、本発明の範囲はこれらに限定されるものではなく、請求項に記載された範囲内において目的に応じて変更・変形することが可能である。
【産業上の利用可能性】
【００４９】
以上のように、本発明にかかる転倒検知端末は、階段からの転落を考慮した適切な自動キャンセルを行うことができるという効果を有し、高齢者の転倒を検知する監視システム等に用いられ、有用である。
【符号の説明】
【００５０】
１  転倒検知端末
２  加速度センサ
３  装着センサ
４  高度センサ
５  救急ボタン
６  操作表示部
７  振動部
８  電源部
９  無線通信部
１０  監視制御部
１１  監視センタ
１２  セキュリティ端末
１３  救急監視部
１４  生活監視部
１５  転倒監視部
１６  転倒判定部（転倒判定手段）
１７  取消処理部（取消処理手段）
【図１】
0006464003.tif 000002
【図２】
0006464003.tif 000003
【図３】
0006464003.tif 000004
【図４】
0006464003.tif 000005